(57)【特許請求の範囲】
【請求項１】
予め工場で製作された通し壁パネルを基礎上にアンカーボルトで固定して建築物の壁体を形成し、次いで前記通し壁パネルに１階床パネルを支持する１階床パネル受桟をボルトとナットで取付けることにより前記１階床パネル受桟で１階床パネルを下方から支えて建築物の１階床部分を組立て、前記通し壁パネルに２階床パネル受桟をボルトとナットで取付けることにより前記２階床パネル受桟で２階床パネルを下方から支えて建築物の２階床部分を組立て、前記通し壁パネルに天井パネル受桟をボルトとナットで取り付けることにより前記天井パネル受桟で天井パネルを下方から支えて建築物の天井部分を組立てた後、前記建築物の外壁を構成する通し壁パネル間に窓下パネル、窓枠および窓上パネルを順次落とし込み、次いで前記天井パネル上に棟パネルを固定すると共に前記通し壁パネル上に屋根パネル受桟を固定し、次いで前記棟パネルおよび屋根パネル受桟に屋根パネルをボルトとナットで固定する組立建築物において、
組立建築物の壁体を構成する通し壁パネルであって、Ｉ形、Ｌ形、Ｔ形、Ｕ形、Ｘ形およびＨ形のいずれかの形状を有し、かつ前記建築物の少なくとも２階に相当する長さを有し、
枠体と、前記枠体の開口部を該枠体の両面側から覆う壁板と、前記壁板間に設けられた断熱体とを備えてなり、
前記枠体は、前記建築物の基礎または土台上に載置されるベース部材と、このベース部材の両端部から上方に延設された柱部材と、この柱部材間に水平に架設された中間梁部材と、この中間梁部材の上方に配置された上側梁部材とを備えてなり、
前記枠体を前記基礎または土台上にアンカーボルトで固定するためのアンカーボルト挿通孔を、前記ベース部材に設け、
前記枠体に１階床パネル受桟をボルトとナットで取り付けるための受桟取付孔を、前記ベース部材に設け、
前記枠体に２階床パネル受桟および天井パネル受桟をボルトとナットで取り付けるための受桟取付孔を、前記柱部材に設け、
前記枠体に屋根パネルをボルトとナットで取り付けるための屋根パネル取付孔を、前記上側梁部材に設けた建築物用通し壁パネルにより構成されることを特徴とする組立建築物。
【請求項２】
予め通し壁パネルを設計し、設計データを製作工場にオンライン送信して自動製作を行う請求項１に記載の組立建築物の壁体を構成する建築物用通し壁パネルの製造方法。
【発明の詳細な説明】
【０００１】
【発明の属する技術分野】
本発明は、組立建築物およびこの組立に使用される建築物用通し壁パネルに関する。
【０００２】
【従来の技術】
従来、建築物を組み立てる工法として、たとえば軸組み工法と称される方法がある。この軸組み工法は土台上に柱、桁、筋かい等を軸組みして建築物を構築する工法であるため、現場での工程が多く、しかも柱等の軸組みに熟練した高度の技能を要していた。そこで、近年では、柱等の軸組みを要しない工法として、２×４工法が採用されるに至っている。この２×４工法は土台上に壁枠を枠組みした後、工場等で製作された壁パネルを壁枠に打ち付けて建築物を構築する工法である。
【０００３】
【発明が解決しようとする課題】
前述した２×４工法は、柱等の軸組みが不要であるが、土台上に壁枠を枠組みしなければならないため、壁枠の枠組みに熟練した技能を要するという問題がある。
【０００４】
本発明は前述した点に鑑みてなされたもので、その目的とするところは、熟練した技能を要することなく素人でも容易に建築物を組み立てることのできる組立建築物およびこの建築物用通し壁パネルを提供することにある。
【０００５】
【課題を解決するための手段】
上記課題を解決するために、本発明に係る組立建築物は、予め工場で製作された通し壁パネルを基礎上にアンカーボルトで固定して建築物の壁体を形成し、次いで前記通し壁パネルに１階床パネルを支持する１階床パネル受桟をボルトとナットで取付けることにより前記１階床パネル受桟で１階床パネルを下方から支えて建築物の１階床部分を組立て、前記通し壁パネルに２階床パネル受桟をボルトとナットで取付けることにより前記２階床パネル受桟で２階床パネルを下方から支えて建築物の２階床部分を組立て、前記通し壁パネルに天井パネル受桟をボルトとナットで取り付けることにより前記天井パネル受桟で天井パネルを下方から支えて建築物の天井部分を組立てた後、前記建築物の外壁を構成する通し壁パネル間に窓下パネル、窓枠および窓上パネルを順次落とし込み、次いで前記天井パネル上に棟パネルを固定すると共に前記通し壁パネル上に屋根パネル受桟を固定し、次いで前記棟パネルおよび屋根パネル受桟に屋根パネルをボルトとナットで固定する組立建築物において、
組立建築物の壁体を構成する通し壁パネルであって、Ｉ形、Ｌ形、Ｔ形、Ｕ形、Ｘ形およびＨ形のいずれかの形状を有し、かつ前記建築物の少なくとも２階に相当する長さを有し、
枠体と、前記枠体の開口部を該枠体の両面側から覆う壁板と、前記壁板間に設けられた断熱体とを備えてなり、
前記枠体は、前記建築物の基礎または土台上に載置されるベース部材と、このベース部材の両端部から上方に延設された柱部材と、この柱部材間に水平に架設された中間梁部材と、この中間梁部材の上方に配置された上側梁部材とを備えてなり、
前記枠体を前記基礎または土台上にアンカーボルトで固定するためのアンカーボルト挿通孔を、前記ベース部材に設け、
前記枠体に１階床パネル受桟をボルトとナットで取り付けるための受桟取付孔を、前記ベース部材に設け、
前記枠体に２階床パネル受桟および天井パネル受桟をボルトとナットで取り付けるための受桟取付孔を、前記柱部材に設け、
前記枠体に屋根パネルをボルトとナットで取り付けるための屋根パネル取付孔を、前記上側梁部材に設けた建築物用通し壁パネルにより構成されることを特徴とする。
【０００７】
【発明の実施の形態】
以下、本発明の実施の形態を図面に基づいて説明する。
【０００８】
図１は本発明に係る組立建築物１０の一例を示す斜視図で、図２は建築物１０の壁体部分の縦断面図である。また、図３乃至図６は図２におけるＡ部、Ｂ部、Ｃ部、Ｄ部の構造を示す図であり、図１に示される建築物１０は、例えば図７および図８に示される工程によって組み立てられる。すなわち、本発明では、図７（ａ）に示すように、先ず始めに、工場で製作されたＬ形の通し壁パネル１２を基礎１４上にアンカーボルト１６（図３参照）で固定して建築物１０の外壁を形成する。なお、基礎１４上に土台を置き、この土台上に通し壁パネル１２をアンカーボルト１６で固定してもよい。
【０００９】
次に、通し壁パネル１２に１階床パネル受桟１８（図３参照）をボルト２０とナット２２で取り付け、この１階床パネル受桟１８で１階床パネル２４を下方から支えて建築物１０の１階床部分を図７（ｂ）の如く組み立てた後、通し壁パネル１２に２階床パネル受桟２６（図４参照）をボルト２８とナット３０で取り付ける。そして、この２階床パネル受桟２６で２階床パネル３２を下方から支えて建築物１０の２階床部分を図７（ｃ）の如く組み立てる。
【００１０】
前記した２階床部分の組み立てが終了したならば、次に通し壁パネル１２に天井パネル受桟３４（図５参照）をボルトとナットで取り付け、この天井パネル受桟３４で天井パネル４０を下方から支えて建築物１０の天井部分を図７（ｄ）の如く組み立てる。そして、天井部分の組み立てが終了したならば、次に隣り合う２つの通し壁パネル１２，１２間に、図９に示す１階窓下パネル４１、１階窓枠４２、１階窓上パネル４３、２階窓枠４４および２階窓上パネル４５を順次落とし込み、建築物１０の窓部分を図８（ｅ）の如く組み立てる。なお、建築物１０の窓部分を形成する通し壁パネル１２には、図９に示す如く１階窓下パネル４１等をガイドするためのガイド溝５６が設けられている。また、１階窓下パネル４１内には水道管、ガス管等が組み込まれている。
【００１１】
前記した窓部分の組み立てが終了したならば、図８（ｆ）の如く天井パネル４０上に棟パネル受木４６および小屋パネル受木４７を設置するとともに、通し壁パネル１２上に屋根パネル受桟４８を設置する。次に、図８（ｇ）の如く天井パネル４０上に棟パネル４９を配置し、この棟パネル４９の下端部をピン４７１（図６参照）等の固定手段で天井パネル４０に固定する。
【００１２】
棟パネル４９の下端部を天井パネル４０に固定したならば、次に棟パネル４９の上端部に屋根パネル５０を棟金物５１、ボルト５２およびナット５３で固定するとともに、屋根パネル受桟４８上に屋根パネル５０をボルト５４とナット５５で固定することにより、図８（ｈ）のような建築物１０が得られる。
【００１３】
上述した建築物の組立工法では、土台上に柱等を軸組みしたり、あるいは現場で壁枠を枠組みしたりする必要がないので、熟練した技能を要することなく素人でも容易に建築物を組み立てることができる。
【００１４】
図１１は前記した本発明に係る組立建築物に使用される通し壁パネルの基本パターンを示す図であり、本発明に係る組立建築物に使用される通し壁パネル１２は、Ｉ形、Ｌ形、Ｔ形、Ｕ形、Ｘ形およびＨ形のいずれかの形状を有し、かつ建築物の少なくとも２階高さに相当する長さＬを有している。
【００１５】
図１２は、Ｉ形の形状を有する通し壁パネル１２の正面図である。また、図１３は図１２のＦ−Ｆ線に沿う断面図であり、この通し壁パネル１２は、矩形状の枠体６０（図１２参照）と、この枠体６０の開口部を枠体６０の両面側から覆う複数の壁板６２と、これらの壁板６２間に設けられたパネル状の断熱体６４（図１３参照）とから構成されている。
【００１６】
枠体６０は建築物１０の基礎１４または土台上に載置される角柱状のベース部材６６を有しており、このベース部材６６には、枠体６０を基礎１４または土台上にアンカーボルト１６で固定するためのアンカーボルト挿通孔６８が複数設けられているとともに、枠体６０に１階床パネル受桟１８をボルトとナットで取り付けるための受桟取付孔７０が複数設けられている。さらに、枠体６０はベース部材６６の両端部から上方に延設された２本の柱部材７２，７２を有しており、これらの柱部材７２，７２には、枠体６０に２階床パネル受桟２６をボルトとナットで取り付けるための受桟取付孔７４が複数設けられている。
【００１７】
また、枠体６０は柱部材７２，７２間に水平に架設された中間梁部材７６と、この中間梁部材７６の上方に配置された上側梁部材７８とを有しており、この上側梁部材７８には、枠体６０に天井パネル受桟３４をボルトとナットで取り付けるための受桟取付孔８０が複数設けられているとともに、枠体６０に屋根パネル受桟４８と屋根パネル５０をボルトとナットで取り付けるための屋根パネル取付孔８２が複数設けられている。なお、ベース部材６６と中間梁部材７６間には補強部材８４が設けられている。
【００１８】
また、中間梁部材７６と上側梁部材７８との間には補強部材８６が設けられ、この補強部材８６には、枠体６０に天井パネル受桟３４をボルトとナットで取り付けるための受桟取付孔７４が設けられている。また、壁板６２は建築物１０の内壁を形成しており、この壁板６２にはナットを締め付け操作するための開口部８８が形成されている。さらに、枠体６０の内側にはコンセント８９が設けられている。また、Ｌ形、Ｔ形、Ｕ形、Ｘ形およびＨ形の各通し壁パネルは前記したＩ形通し壁パネルと同様の構造となっている。
【００１９】
このように構成される通し壁パネルでは、ベース部材６６に設けられたアンカーボルト挿通孔６８にアンカーボルト１６を通した後、アンカーボルト１６をナットで締め付けると、通し壁パネルの枠体６０が基礎１４上に固定される。従って、建築物を構築する際に土台上に柱等を軸組みしたり、あるいは現場で壁枠を枠組みしなくても建築物の壁体を形成することができ、これにより熟練した技能を要することなく素人でも容易に建築物を組み立てることができる。
【００２０】
なお、上述した実施形態では棟パネル４９の下端部を天井パネル４０にピン４７で固定するようにしたが、図１４に示す如く棟パネル４９の下端部を天井パネル４０に止め金具５７で固定したり、あるいは図１５に示す如く棟パネル４９の下端部を天井パネル４０にボルト５８で固定してもよい。
【００２１】
また、本発明は、上述した実施形態に限定されるものではなく、例えば、建築設計事務所で通し壁パネルを設計し、設計データを製作工場にオンライン送信して通し壁パネルを自動製作するオンラインファブリケーションシステムにも適用できる。
【００２２】
【発明の効果】
以上説明したように、本発明によれば、土台上に柱等を軸組みしたり、あるいは現場で壁枠を枠組みしたりする必要がなく、熟練した技能を要することなく素人でも容易に建築物を組み立てることができる。これは、将来的に起こり得る職人不足の解消、現場での工期短縮、コストダウンを目的とするために、部材の規格統一、均一化、少数化を図り、安く自由性の高い建築物を提供できる。
【図面の簡単な説明】
【図１】本発明に係る組立建築物の一例を示す斜視図である。
【図２】図１に示す建築物の壁体部分の縦断面図である。
【図３】図２に示すＡ部の詳細構造を示す図である。
【図４】図２に示すＢ部の詳細構造を示す図である。
【図５】図２に示すＣ部の詳細構造を示す図である。
【図６】図２に示すＤ部の詳細構造を示す図である。
【図７】図１に示す建築物の組立工程の一部を示す図である。
【図８】図１に示す建築物の組立工程の一部を示す図である。
【図９】図１に示す建築物の窓部分の構造を示す図である。
【図１０】図９に示すＥ部の詳細構造を示す図である。
【図１１】本発明に係る組立建築物に使用される通し壁パネルの基本パターンを示す図である。
【図１２】Ｉ形通し壁パネルの正面図である。
【図１３】図１２のＦ−Ｆ線に沿う断面図である。
【図１４】棟パネルを天井パネルに止め金具を使用して固定した場合の棟パネルと天井パネルとの取付け構造を示す図である。
【図１５】棟パネルを天井パネルにボルトを使用して固定した場合の棟パネルと天井パネルとの取付け構造を示す図である。
【符号の説明】
１０  建築物
１２  通し壁パネル
１４  基礎
１６  アンカーボルト
１８  １階床パネル受桟
２４  １階床パネル
２６  ２階床パネル受桟
３２  ２階床パネル
３４  天井パネル受桟
４０  天井パネル
４９  棟パネル
５０  屋根パネル
６０  枠体
６２  壁板
６４  断熱体
６６  ベース部材
６８  アンカーボルト挿通孔
７２  柱部材
７６  中間梁部材
７８  上側梁部材
７０，７４，８０  受桟取付孔
【図１】
0003616303.tif 000002
【図２】
0003616303.tif 000003
【図３】
0003616303.tif 000004
【図４】
0003616303.tif 000005
【図５】
0003616303.tif 000006
【図６】
0003616303.tif 000007
【図７】
0003616303.tif 000008
【図８】
0003616303.tif 000009
【図９】
0003616303.tif 000010
【図１０】
0003616303.tif 000011
【図１１】
0003616303.tif 000012
【図１２】
0003616303.tif 000013
【図１３】
0003616303.tif 000014
【図１４】
0003616303.tif 000015
【図１５】
0003616303.tif 000016